【手続補正書】
【提出日】平成15年10月17日(2003.10.17)
【手続補正１】
【補正対象書類名】明細書
【補正対象項目名】特許請求の範囲
【補正方法】変更
【補正の内容】
【特許請求の範囲】
【請求項１】
情報源符号化方法の性能向上方法であって、該情報源符号化方法は、元の信号を符号化して符号化信号を発生し、該元の信号は低帯域部分と高帯域部分をもち、該符号化信号は元の信号の低帯域部分を含み、元の信号の高帯域部分を含まず、該方法は、
元の信号の高帯域部分のノイズフロアレベルを推定するステップであって、該ノイズフロアレベルは、元の信号のスペクトル表現の局所の最小点により決定される第１のスペクトル包絡と元の信号のスペクトル表現の局所の最大点により決定される第２のスペクトル包絡との差の対する測度である、該ステップと、
エンコーダ出力信号を得るために、元の信号の低帯域部分を含む該符号化信号と元の信号の高帯域部分のノイズフロアレベルを多重化するステップと、から成る、情報源符号化方法の性能向上方法。
【請求項２】
請求項１に記載の方法において、該推定するステップは、幾つかのノイズフロアレベルを幾つかの周波数帯域にマッピングするステップを含む、情報源符号化方法の性能向上方法。
【請求項３】
請求項１に記載の方法において、線形叙述的コーデイング又は他の多項式表現を使用して該ノイズフロアレベルを表す、情報源符号化方法の性能向上方法。
【請求項４】
請求項１に記載の方法において、該推定するステップは、
スペクトル表現におけるフォルマント又は単独の正弦波が明白に見えるような充分な分解能を使用して元の信号の微細構造スペクトル表現を提供するステップであって、該微細構造スペクトル表現は、局所の最小点及び局所の最大点をもつ該ステップと、
第１のスペクトル包絡を得るために局所の最小点に沿って補間するため微細構造スペクトル表現にデイップフォロア作用を適用するステップと、
第２のスペクトル包絡を得るため最大点に沿って補間するため元の信号のスペクトル表現に対する微細構造スペクトル表現にピークフォロア作用を適用するステップと、
差の測度を得るために第１のスペクトル包絡と第２のスペクトル包絡との間の差を形成するステップと、
ノイズフロアレベル値を得るために差の測度を平滑化するステップとを含む、情報源符号化方法の性能向上方法。
【請求項５】
請求項２に記載の方法において、該差の測度は時間において追加して平滑化される、情報源符号化方法の性能向上方法。
【請求項６】
請求項２に記載の方法は、さらに、
該微細構造スペクトル表現を提供するステップにおいて使用される分解能より低い分解能を使用して、元の信号の追加の微細構造スペクトル表現を提供するステップと、
追加の差の測度を得るために、デイップフォロア作用を適用し、ピークフォロア作用を適用し、そして差を形成するこれらステップを遂行するステップと、
最大のノイズフロアレベルを得るために、該追加の差の測度と該ノイズフロアレベルとの間で選択するステップを含む、情報源符号化方法の性能向上方法。
【請求項７】
請求項１に記載の方法の方法において、元の信号の該高帯域部分のスペクトル包絡は、高周波再生技術を使用するデコード方法により使用されるため、推定され、追加してエンコーダ出力信号に多重化される、情報源符号化方法の性能向上方法。
【請求項８】
情報源エンコーダの性能を向上させる装置であって、該情報源エンコーダは、元の信号を符号化することにより、符号化信号を発生し、該元の信号は、低帯域部分と高帯域部分をもち、該符号化信号は元の信号の低帯域部分を含み、元の信号の高帯域部分を含まず、該装置は、
元の信号のノイズフロアレベルを推定するための推定器であって、該ノイズフロアレベルは、元の信号のスペクトル表現の局所の最小点により決定される第１のスペクトル包絡と元の信号のスペクトル表現の局所の最大点により決定される第２のスペクトル包絡との差に対する測度である該推定器と、
エンコーダ出力信号を得るために、元の信号の低帯域部分含む符号化信号と元の信号の高帯域部分のノイズフロアレベルを多重化するマルチプレクサとから成る、情報源エンコーダの性能を向上させる装置。
【請求項９】
情報源デコーダの性能を向上させる装置であって、該情報源デコーダは、元の信号の情報源符号化により得られる符号化信号をデコードすることによりデコード信号を発生し、該元の信号は低帯域部分と高帯域部分をもち、該符号化信号は元の信号の低帯域部分を含み、元の信号の高帯域部分を含まず、そこにデコードされた信号は、元の信号の再生された高帯域部分を含む高周波再生信号を得るため高周波再生のために使用され、該装置は、
符号化信号と元の信号の高帯域部分のノイズフロアレベルとを含む入力信号を多重分離するためのデマルチプレクサであって、該ノイズフロアレベルは、元の信号のスペクトル表現の局所の最小点により決定される第１のスペクトル包絡と元の信号のスペクトル表現の局所の最大点により決定される第２のスペクトル包絡との間の差に対する測度である、該デマルチプレクサと、
元の信号の高帯域部分のスペクトル包絡表現を得るための手段と、
スペクトルについて整形されたランダムノイズ信号を得るために、元の信号の高帯域部分のスペクトル包絡表現に従ってランダムノイズ信号のスペクトルを整形するための整形器と、
調節されスペクトル整形されたランダムノイズ信号を得るために、ノイズフロアレベルに従って、スペクトル整形されたランダムノイズ信号を調節するための調節器と、
性能が向上した高周波再生信号を得るために、調節されスペクトル整形されたランダムノイズ信号を高周波再生信号に加算する加算器と、から成る、情報源デコーダの性能を向上させる装置。
【請求項１０】
請求項９に記載の装置は、さらに、元の信号の低帯域部分と元の信号の再生された高帯域部分をもつ出力信号を発生するため、高周波再生信号とデコードされた信号を組合わせるための組合わせ器を含む、情報源デコーダの性能を向上させる装置。
【請求項１１】
情報源デコード方法の性能を向上させる方法であって、該情報源デコード方法は、元の信号の符号化により得られた符号化信号のデコードによりデコード信号を発生し、該元の信号は、低帯域部分と高帯域部分をもち、該符号化信号は元の信号の低帯域部分を含み、元の信号の高帯域部分を含まず、そこにデコード信号は、元の信号の再生された高帯域部分を含む高周波再生信号を得るために高周波再生のために使用され、該方法は、
符号化信号と元の信号の高帯域部分のノイズフロアレベルを含む入力信号を多重分離するステップであって、該ノイズフロアレベルは、元の信号のスペクトル表現の局所の最小点により決定される第１のスペクトル包絡と元の信号のスペクトル表現の局所の最大点により決定される第２のスペクトル包絡との差に対する測度である該ステップと、
元の信号の高帯域部分のスペクトル包絡表現を得るステップと、
スペクトルについて整形されたランダムノイズ信号を得るために、元の信号の高帯域部分のスペクトル包絡表現に従ってランダムノイズ信号のスペクトルを整形するステップと、
調節されスペクトル整形されたランダムノイズ信号を得るために、ノイズフロアレベルに従って、スペクトル整形されたランダムノイズ信号を調節するステップと、
性能向上された高周波再生信号を得るために、調節されスペクトル整形されたランダムノイズ信号を高周波再生信号に加算するステップとから成る、情報源デコード方法の性能を向上させる方法。
【請求項１２】
請求項１１に記載の方法において、該スペクトル包絡表現は、高周波再生信号のエネルギーに対するエネルギー測度とノイズフロアを含み、該方法はさらに、
高周波再生信号と調節されスペクトル整形されたランダムノイズ信号との組合わされたエネルギーが、該スペクトル包絡表現のエネルギー測度に相当するように、高周波再生信号を調節するステップを含む、情報源デコード方法の性能を向上させる方法。
【請求項１３】
請求項１１に記載の方法において、該スペクトル整形されたランダムノイズ信号を調節するステップは、スペクトル整形されたランダムノイズ信号のレベルを時間及び／又は周波数において平滑化するステップを含む、情報源デコード方法の性能を向上させる方法。
【請求項１４】
請求項１１に記載の方法において、該高周波再生信号のスペクトル包絡は、補間を使用して調節される、情報源デコード方法の性能を向上させる方法。
【請求項１５】
請求項１１に記載の方法において、該高周波再生信号のスペクトル包絡は、包絡調節増幅率の平滑化を使用して調節される、情報源デコード方法の性能を向上させる方法。
【請求項１６】
情報源デコーダの性能を向上させる装置であって、該情報源デコーダは、元の信号の情報源符号化により得られる符号化信号をデコードすることによりデコード信号を発生し、該元の信号は、低帯域部分と高帯域部分をもち、該符号化信号は、元の信号の低帯域部分を含み、元の信号の高帯域部分を含まず、そこに該デコード信号は、元の信号の再生高帯域部分を含む高周波再生信号を得るために高周波再生のために使用され、該装置は、
高周波再生信号のスペクトル包絡を調節するための調節器を含み、該調節器は、包絡調節増幅率を制限する制限器を含む、情報源デコーダの性能を向上させる装置。
【請求項１７】
情報源デコーダの性能を向上させる装置であって、該情報源デコーダは、元の信号の情報源符号化により得られる符号化信号をデコードすることによりデコード信号を発生し、該元の信号は、低帯域部分と高帯域部分をもち、該符号化信号は、元の信号の低帯域部分を含み、元の信号の高帯域部分を含まず、そこに該デコード信号は、元の信号の再生高帯域部分を含む高周波再生信号を得るために高周波再生のために使用され、該装置は、
信号を発生するための高周波再生モジュールであって、該高周波再生モジュールは、該信号を得るために、デコード信号の種々の低帯域周波数範囲から創作される数個の高周波再生信号を加算するための加算器をもつ、該高周波再生モジュールと、
デコード信号の低帯域部分を分析し、制御データを加算器に提供する分析器と、から成る情報源デコーダの性能を向上させる装置。